(57)【要約】【課題】薬品選択時に患者に登録した病名に対して処方可能な薬品一覧を必要な情報とともに表示することにより、患者に最適でかつ効果的な薬品を処方できる薬品選択支援システムを提供する。【解決手段】サーバ１０が、患者に登録されている病名と、その病名に対する薬品とを組み合わせた病名薬品情報ｂ０３を医療情報データベースｂ０１に登録する登録手段ａ０１を備え、医師用端末１１が、医師用端末１１からの要求に基づきサーバ１０から病名薬品情報ｂ０３を受信する病名薬品情報受信手段ｃ０１と、受信した病名薬品情報ｂ０３に基づき、患者の病名に対して登録されている薬品の一覧表である病名薬品一覧表を表示する病名薬品一覧表表示手段ｃ０２とを備えている薬品選択支援システムを提供する。【選択図】図２
2007272751.tif 000002
【特許請求の範囲】
【請求項１】
医療情報データベースを備えたサーバと、医師が操作する医師用端末とが通信自在に接続され、前記サーバから前記医師用端末に医療情報を提供し、前記医師用端末に於ける薬品選択を支援する薬品選択支援システムであって、
前記サーバは、患者に登録されている病名と、その病名に対する薬品とを組み合わせた病名薬品情報を前記医療情報データベースに登録する登録手段を備え、
前記医師用端末は、前記医師用端末からの要求に基づき、前記サーバから前記病名薬品情報を受信する病名薬品情報受信手段と、受信した前記病名薬品情報に基づき、患者の病名に対して登録されている薬品の一覧表である病名薬品一覧表を表示する病名薬品一覧表表示手段とを備えていることを特徴とする薬品選択支援システム。
【請求項２】
前記医療情報データベースは、前記医療情報として、先発医薬品及び前記先発医薬品に関連付けられた後発医薬品を格納すると共に、先発医薬品と後発医薬品とを区別する区別情報を前記先発医薬品と後発医薬品とに夫々関連付けて格納し、
前記医師用端末は、前記サーバから前記病名薬品情報を受信する時、前記病名薬品情報の薬品に関連付けられた前記区別情報を受信する区別情報受信手段と、前記病名薬品一覧表表示手段によって前記病名薬品一覧表を表示する時に、前記病名薬品一覧表の薬品に関連付けて前記区別情報を表示する区別情報表示手段とを備えていることを特徴とする請求項１記載の薬品選択支援システム。
【請求項３】
前記医療情報データベースは、前記医療情報として、前記薬品に関連付けられた薬価を格納し、且つ、患者情報に関連付けられた患者の保険に係る負担割合を格納し、
前記サーバは、前記薬価と前記負担割合から患者の薬品に対する負担額を計算する負担額計算手段を備え、
前記医師用端末は、前記サーバから前記病名薬品情報を受信する時、前記負担額を受信する負担額受信手段と、前記病名薬品一覧表表示手段によって病名薬品一覧表を表示する時に、前記病名薬品一覧表の薬品に関連付けて前記負担額を表示する負担額表示手段とを備えることを特徴とする請求項１又は２記載の薬品選択支援システム。
【請求項４】
前記医療情報データベースは、前記医療情報として患者情報と薬品情報とを組み合わせた患者薬品情報を格納し、
前記サーバは、前記患者薬品情報からその薬品が病院内で使用されている使用件数を取得する使用件数取得手段と、前記薬品の先発医薬品又は後発医薬品として関連付けられた薬品が病院内で使用されている件数を合計して合計件数を取得する合計件数取得手段と、前記使用件数と合計件数から前記薬品の使用率を計算する使用率計算手段とを備え、
前記医師用端末は、前記サーバから前記病名薬品情報を受信する時、前記使用率を受信する使用率受信手段と、前記病名薬品一覧表表示手段によって病名薬品一覧表を表示する時に、前記病名薬品一覧表の薬品に関連付けて前記使用率を表示する使用率表示手段とを備えていることを特徴とする請求項２又は３記載の薬品選択支援システム。
【請求項５】
前記サーバは、前記医師用端末からの要求に応じて、前記医療情報データベース内の先発医薬品に関連付けられた後発医薬品を検索する後発医薬品検索手段を備え、
前記医師用端末は、前記医師用端末からの要求に基づき、前記後発医薬品検索手段によって検索された前記後発医薬品を前記サーバから受信する後発医薬品受信手段と、前記病名薬品一覧表表示手段によって病名薬品一覧表を表示する時に、前記病名薬品一覧表の薬品に関連付けて受信した前記後発医薬品を表示する後発医薬品表示手段とを備えることを特徴とする請求項２乃至４のうちいずれか一に記載の薬品選択支援システム。
【請求項６】
前記医療情報データベースは、患者に関連付けられた薬品が他の薬品に変更されている場合に、前記医療情報として、変更された薬品の履歴である薬品変更履歴を元の薬品に関連付けて格納し、
前記医師用端末は、前記医師用端末からの要求に基づき、前記サーバから前記薬品変更履歴を受信する薬品変更履歴受信手段と、前記病名薬品一覧表表示手段によって病名薬品一覧表を表示する時に、前記病名薬品一覧表の薬品に関連付けて受信した前記薬品変更履歴を表示する薬品変更履歴表示手段とを備えていることを特徴とする請求項１乃至５のうちいずれか一に記載の薬品選択支援システム。
【請求項７】
医療情報データベースを備えたサーバと、医師が操作する医師用端末とが通信自在に接続され、前記サーバから前記医師用端末に医療情報を提供し、前記医師用端末に於ける薬品選択を支援する薬品選択支援システムに於いて、
前記サーバに、患者に登録されている病名と、その病名に対する薬品とを組み合わせた病名薬品情報を前記医療情報データベースに登録する登録機能を実行させ、
前記医師用端末に、前記医師用端末からの要求に基づき前記サーバから前記病名薬品情報を受信する病名薬品情報受信機能と、受信した前記病名薬品情報に基づき、患者の病名に対して登録されている薬品の一覧表である病名薬品一覧表を表示する病名薬品一覧表表示機能とを実行させることを特徴とする薬品選択支援プログラム。
【請求項８】
前記医療情報データベースは、前記医療情報として、先発医薬品及び前記先発医薬品に関連付けられた後発医薬品を格納すると共に、先発医薬品と後発医薬品とを区別する区別情報を前記先発医薬品と後発医薬品とに夫々関連付けて格納し、
前記医師用端末に、前記サーバから前記病名薬品情報を受信する時、前記病名薬品情報の薬品に関連付けられた前記区別情報を受信する区別情報受信機能と、前記病名薬品一覧表表示機能によって前記病名薬品一覧表を表示する時に、前記病名薬品一覧表の薬品に関連付けて前記区別情報を表示する区別情報表示機能とを実行させることを特徴とする請求項７記載の薬品選択支援プログラム。
【請求項９】
前記医療情報データベースは、前記医療情報として、前記薬品に関連付けられた薬価を格納し、且つ、患者情報に関連付けられた患者の保険に係る負担割合を格納し、
前記サーバに、前記薬価と前記負担割合から患者の薬品に対する負担額を計算する負担額計算機能を実行させ、
前記医師用端末に、前記サーバから前記病名薬品情報を受信する時、前記負担額を受信する負担額受信機能と、前記病名薬品一覧表表示機能によって病名薬品一覧表を表示する時に、前記病名薬品一覧表の薬品に関連付けて前記負担額を表示する負担額表示機能とを実行させることを特徴とする請求項７又は８記載の薬品選択支援プログラム。
【請求項１０】
前記医療情報データベースは、前記医療情報として患者情報と薬品情報とを組み合わせた患者薬品情報を格納し、
前記サーバに、前記患者薬品情報からその薬品が病院内で使用されている使用件数を取得する使用件数取得機能と、前記薬品の先発医薬品又は後発医薬品として関連付けられた薬品が病院内で使用されている件数を合計して合計件数を取得する合計件数取得機能と、前記使用件数と合計件数から前記薬品の使用率を計算する使用率計算機能とを実行させ、
前記医師用端末に、前記サーバから前記病名薬品情報を受信する時、前記使用率を受信する使用率受信機能と、前記病名薬品一覧表表示機能によって病名薬品一覧表を表示する時に、前記病名薬品一覧表の薬品に関連付けて前記使用率を表示する使用率表示機能とを実行させることを特徴とする請求項８又は９記載の薬品選択支援プログラム。
【請求項１１】
前記サーバに、前記医師用端末からの要求に応じて、前記医療情報データベース内の先発医薬品に関連付けられた後発医薬品を検索する後発医薬品検索機能を実行させ、
前記医師用端末に、前記医師用端末からの要求に基づき、前記後発医薬品検索機能によって検索された前記後発医薬品を前記サーバから受信する後発医薬品受信機能と、前記病名薬品一覧表表示機能によって病名薬品一覧表を表示する時に、前記病名薬品一覧表の薬品に関連付けて受信した前記後発医薬品を表示する後発医薬品表示機能とを実行させることを特徴とする請求項８乃至１０のうちいずれか一に記載の薬品選択支援プログラム。
【請求項１２】
前記医療情報データベースは、患者に関連付けられた薬品が他の薬品に変更されている場合に、前記医療情報として、変更された薬品の履歴である薬品変更履歴を元の薬品に関連付けて格納し、
前記医師用端末に、前記医師用端末からの要求に基づき、前記サーバから前記薬品変更履歴を受信する薬品変更履歴受信機能と、前記病名薬品一覧表表示機能によって病名薬品一覧表を表示する時に、前記病名薬品一覧表の薬品に関連付けて受信した前記薬品変更履歴を表示する薬品変更履歴表示機能とを実行させることを特徴とする請求項７乃至１１のうちいずれか一に記載の薬品選択支援プログラム。
【発明の詳細な説明】
【技術分野】
【０００１】
本発明は、薬品選択時に、患者に登録された病名に対して処方される薬品のリストを、薬価や患者の負担額、後発医薬品情報、病院内使用率、薬品の変更履歴情報と共に提供して、医療従事者が患者に最適な薬品の選択を簡潔に行うことができるための薬品選択支援システム、及び薬品選択支援プログラムに関する。
【背景技術】
【０００２】
現在、厚生労働省が承認している薬品は、毎年１，０００以上もある。一方、医療現場では病院内や病院外薬局で取り扱われている多数の薬品の中から、患者に最適な薬品を診察中の短い時間で処方しなければならない。そのため、医師は効能・効果など良く知られた先発医薬品を処方する事に慣れており、既承認医薬品と有効成分が同一であって、投与経路、用法、効能及び効果が同一である安価な後発医薬品を処方しないことが多い。従って、後発医薬品の普及率は全国で１３％ほどしかなく、患者の医療費負担が軽減されていない。
【０００３】
従来、薬品の選択を簡潔に行えるように補助する技術として、例えば、下記特許文献１に記載のものが知られている。
下記特許文献１に記載のものは、薬品選択時に先発医薬品および後発医薬品の情報を提供することにより、医師が効率的に薬品を処方することを可能としている。
【特許文献１】特開２００４−１２６８９４号公報
【発明の開示】
【発明が解決しようとする課題】
【０００４】
然しながら、薬品を処方する医師は、多くの薬品の中から患者の病名に最適な薬品を短時間で処方しなければならない。更に、患者にとっては、先発医薬品と後発医薬品の違いを把握することができず、実際の負担額を知ることができない。又、医師は、病院内における先発医薬品と後発医薬品の使用率を把握できておらず、患者の視点に立ち、患者にとって経済的かつ効果的な薬品を処方することができない。
そして、上記特許文献１に記載の技術は、先発医薬品および後発医薬品の情報を提供することにより、医師の薬品選択の手助けをしているが、それでも患者に適した薬品を多くの薬品の中から選び出さなければならず、更に、患者の負担額を含めて患者に最適な薬品を選択することができないという問題がある。
【０００５】
以上の現状に鑑み、本発明は、薬品選択時に患者に登録した病名に対して処方可能な薬品一覧を必要な情報とともに表示することにより、患者に最適でかつ効果的な薬品を処方できる薬品選択支援システム及びプログラムを提供することを目的とする。
【課題を解決するための手段】
【０００６】
上記の課題を解決すべく、本発明は以下の構成を提供する。
請求項１に係る発明は、医療情報データベースを備えたサーバと、医師が操作する医師用端末とが通信自在に接続され、前記サーバから前記医師用端末に医療情報を提供し、前記医師用端末に於ける薬品選択を支援する薬品選択支援システムであって、
前記サーバは、患者に登録されている病名と、その病名に対する薬品とを組み合わせた病名薬品情報を前記医療情報データベースに登録する登録手段を備え、
前記医師用端末は、前記医師用端末からの要求に基づき前記サーバから前記病名薬品情報を受信する病名薬品情報受信手段と、受信した前記病名薬品情報に基づき、患者の病名に対して登録されている薬品の一覧表である病名薬品一覧表を表示する病名薬品一覧表表示手段を備えていることを特徴とする薬品選択支援システムを提供するものである。
【０００７】
請求項２に係る発明は、前記医療情報データベースは、前記医療情報として、先発医薬品及び前記先発医薬品に関連付けられた後発医薬品を格納すると共に、先発医薬品と後発医薬品とを区別する区別情報を前記先発医薬品と後発医薬品とに夫々関連付けて格納し、
前記医師用端末は、前記サーバから前記病名薬品情報を受信する時、前記病名薬品情報の薬品に関連付けられた前記区別情報を受信する区別情報受信手段と、前記病名薬品一覧表表示手段によって前記病名薬品一覧表を表示する時に、前記病名薬品一覧表の薬品に関連付けて前記区別情報を表示する区別情報表示手段とを備えていることを特徴とする請求項１記載の薬品選択支援システムを提供するものである。
【０００８】
請求項３に係る発明は、前記医療情報データベースは、前記医療情報として、前記薬品に関連付けられた薬価を格納し、且つ、患者情報に関連付けられた患者の保険に係る負担割合を格納し、
前記サーバは、前記薬価と前記負担割合から患者の薬品に対する負担額を計算する負担額計算手段を備え、
前記医師用端末は、前記サーバから前記病名薬品情報を受信する時、前記負担額を受信する負担額受信手段と、前記病名薬品一覧表表示手段によって病名薬品一覧表を表示する時に、前記病名薬品一覧表の薬品に関連付けて前記負担額を表示する負担額表示手段とを備えることを特徴とする請求項１又は２記載の薬品選択支援システムを提供するものである。
【０００９】
請求項４に係る発明は、前記医療情報データベースは、前記医療情報として患者情報と薬品情報とを組み合わせた患者薬品情報を格納し、
前記サーバは、前記患者薬品情報からその薬品が病院内で使用されている使用件数を取得する使用件数取得手段と、前記薬品の先発医薬品又は後発医薬品として関連付けられた薬品が病院内で使用されている件数を合計して合計件数を取得する合計件数取得手段と、前記使用件数と合計件数から前記薬品の使用率を計算する使用率計算手段とを備え、
前記医師用端末は、前記サーバから前記病名薬品情報を受信する時、前記使用率を受信する使用率受信手段と、前記病名薬品一覧表表示手段によって病名薬品一覧表を表示する時に、前記病名薬品一覧表の薬品に関連付けて前記使用率を表示する使用率表示手段とを備えていることを特徴とする請求項２又は３記載の薬品選択支援システムを提供するものである。
【００１０】
請求項５に係る発明は、前記サーバは、前記医師用端末からの要求に応じて、前記医療情報データベース内の先発医薬品に関連付けられた後発医薬品を検索する後発医薬品検索手段を備え、
前記医師用端末は、前記医師用端末からの要求に基づき、前記後発医薬品検索手段によって検索された前記後発医薬品を前記サーバから受信する後発医薬品受信手段と、前記病名薬品一覧表表示手段によって病名薬品一覧表を表示する時に、前記病名薬品一覧表の薬品に関連付けて受信した前記後発医薬品を表示する後発医薬品表示手段とを備えることを特徴とする請求項２乃至４のうちいずれか一に記載の薬品選択支援システムを提供するものである。
【００１１】
請求項６に係る発明は、前記医療情報データベースは、患者に関連付けられた薬品が他の薬品に変更されている場合に、前記医療情報として、変更された薬品の履歴である薬品変更履歴を元の薬品に関連付けて格納し、
前記医師用端末は、前記医師用端末からの要求に基づき、前記サーバから前記薬品変更履歴を受信する薬品変更履歴受信手段と、前記病名薬品一覧表表示手段によって病名薬品一覧表を表示する時に、前記病名薬品一覧表の薬品に関連付けて受信した前記薬品変更履歴を表示する薬品変更履歴表示手段とを備えていることを特徴とする請求項１乃至５のうちいずれか一に記載の薬品選択支援システムを提供するものである。
【００１２】
請求項７に係る発明は、医療情報データベースを備えたサーバと、医師が操作する医師用端末とが通信自在に接続され、前記サーバから前記医師用端末に医療情報を提供し、前記医師用端末に於ける薬品選択を支援する薬品選択支援システムに於いて、
前記サーバに、患者に登録されている病名と、その病名に対する薬品とを組み合わせた病名薬品情報を前記医療情報データベースに登録する登録機能を実行させ、
前記医師用端末に、前記医師用端末からの要求に基づき前記サーバから前記病名薬品情報を受信する病名薬品情報受信機能と、受信した前記病名薬品情報に基づき、患者の病名に対して登録されている薬品の一覧表である病名薬品一覧表を表示する病名薬品一覧表表示機能とを実行させることを特徴とする薬品選択支援プログラムを提供するものである。
【００１３】
請求項８に係る発明は、前記医療情報データベースは、前記医療情報として、先発医薬品及び前記先発医薬品に関連付けられた後発医薬品を格納すると共に、先発医薬品と後発医薬品とを区別する区別情報を前記先発医薬品と後発医薬品とに夫々関連付けて格納し、
前記医師用端末に、前記サーバから前記病名薬品情報を受信する時、前記病名薬品情報の薬品に関連付けられた前記区別情報を受信する区別情報受信機能と、前記病名薬品一覧表表示機能によって前記病名薬品一覧表を表示する時に、前記病名薬品一覧表の薬品に関連付けて前記区別情報を表示する区別情報表示機能とを実行させることを特徴とする請求項７記載の薬品選択支援プログラムを提供するものである。
【００１４】
請求項９に係る発明は、前記医療情報データベースは、前記医療情報として、前記薬品に関連付けられた薬価を格納し、且つ、患者情報に関連付けられた患者の保険に係る負担割合を格納し、
前記サーバに、前記薬価と前記負担割合から患者の薬品に対する負担額を計算する負担額計算機能を実行させ、
前記医師用端末に、前記サーバから前記病名薬品情報を受信する時、前記負担額を受信する負担額受信機能と、前記病名薬品一覧表表示機能によって病名薬品一覧表を表示する時に、前記病名薬品一覧表の薬品に関連付けて前記負担額を表示する負担額表示機能とを実行させることを特徴とする請求項７又は８記載の薬品選択支援プログラムを提供するものである。
【００１５】
請求項１０に係る発明は、前記医療情報データベースは、前記医療情報として患者情報と薬品情報とを組み合わせた患者薬品情報を格納し、
前記サーバに、前記患者薬品情報からその薬品が病院内で使用されている使用件数を取得する使用件数取得機能と、前記薬品の先発医薬品又は後発医薬品として関連付けられた薬品が病院内で使用されている件数を合計して合計件数を取得する合計件数取得機能と、前記使用件数と合計件数から前記薬品の使用率を計算する使用率計算機能とを実行させ、
前記医師用端末に、前記サーバから前記病名薬品情報を受信する時、前記使用率を受信する使用率受信機能と、前記病名薬品一覧表表示機能によって病名薬品一覧表を表示する時に、前記病名薬品一覧表の薬品に関連付けて前記使用率を表示する使用率表示機能とを実行させることを特徴とする請求項８又は９記載の薬品選択支援プログラムを提供するものである。
【００１６】
請求項１１に係る発明は、前記サーバに、前記医師用端末からの要求に応じて、前記医療情報データベース内の先発医薬品に関連付けられた後発医薬品を検索する後発医薬品検索機能を実行させ、
前記医師用端末に、前記医師用端末からの要求に基づき、前記後発医薬品検索機能によって検索された前記後発医薬品を前記サーバから受信する後発医薬品受信機能と、前記病名薬品一覧表表示機能によって病名薬品一覧表を表示する時に、前記病名薬品一覧表の薬品に関連付けて受信した前記後発医薬品を表示する後発医薬品表示機能とを実行させることを特徴とする請求項８乃至１０のうちいずれか一に記載の薬品選択支援プログラムを提供するものである。
【００１７】
請求項１２に係る発明は、前記医療情報データベースは、患者に関連付けられた薬品が他の薬品に変更されている場合に、前記医療情報として、変更された薬品の履歴である薬品変更履歴を元の薬品に関連付けて格納し、
前記医師用端末に、前記医師用端末からの要求に基づき、前記サーバから前記薬品変更履歴を受信する薬品変更履歴受信機能と、前記病名薬品一覧表表示機能によって病名薬品一覧表を表示する時に、前記病名薬品一覧表の薬品に関連付けて受信した前記薬品変更履歴を表示する薬品変更履歴表示機能とを実行させることを特徴とする請求項７乃至１１のうちいずれか一に記載の薬品選択支援プログラムを提供するものである。
【発明の効果】
【００１８】
本発明の請求項１記載の発明によれば、薬品選択支援システムに於いて、サーバは、患者に登録されている病名と、その病名に対する薬品とを組み合わせた病名薬品情報を医療情報データベースに登録する登録手段を備え、医師用端末は、前記サーバから前記病名薬品情報を受信する病名薬品情報受信手段と、受信した前記病名薬品情報に基づき、患者の病名に対して登録されている薬品の一覧表である病名薬品一覧表を表示する病名薬品一覧表表示手段とを備えているので、患者に薬品を処方時、患者に登録されている病名に最適な薬品一覧を表示させることにより、薬品を選び出す煩わしさから解放し、医師が効率的に薬品の選択作業を行えるようになる。
【００１９】
請求項２記載の発明によれば、病名薬品一覧表の薬品に関連付けて、先発医薬品と後発医薬品とを区別する区別情報を表示する区別情報表示手段を備えているので、請求項１記載の発明の効果に加え、先発医薬品と後発医薬品との区別が容易になる。
【００２０】
請求項３記載の発明によれば、病名薬品一覧表の薬品に関連付けて負担額を表示する負担額表示手段を備えているので、請求項１又は２記載の発明の効果に加え、患者の負担額を表示することにより、患者にとって、より効果的で経済的に最適な薬品を短時間で選び出すことができ、患者の視点に立った医療行為を行うことができる。
【００２１】
請求項４記載の発明によれば、病名薬品一覧表の薬品に関連付けて前記使用率を表示する使用率表示手段を備えているので、請求項２又は３記載の発明の効果に加え、医師にとって病院内における先発医薬品と後発医薬品の使用率を表示させることにより、病院内の使用状況を把握することができることで、薬品を容易に選び出すことができ、更に後発医薬品の促進につながる。
【００２２】
請求項５記載の発明によれば、病名薬品一覧表の薬品に関連付けて受信した後発医薬品を表示する後発医薬品表示手段を備えているので、請求項２乃至４のうちいずれか一に記載の発明の効果に加え、後発医薬品から薬品を容易に選択することができる。
請求項６に係る発明は、病名薬品一覧表の薬品に関連付けて受信した薬品変更履歴を表示する薬品変更履歴表示手段を備えているので、請求項１乃至５のうちいずれか一に記載の発明の効果に加え、変更後の最適な薬品を選択することができる。
【００２３】
請求項７乃至１２記載の発明によれば、夫々のプログラムを実行することにより夫々請求項１乃至６記載の発明と同様の効果が期待できる。
【発明を実施するための最良の形態】
【００２４】
以下、実施例を示した図面を参照しつつ本発明の実施の形態を説明する。
図１は、本発明の実施の一形態の薬品選択支援システムの概略構成を示すブロック図である。本システムは、図１に示すように、サーバ１０と医師用端末１１により構成されている。サーバ１０は、図示省略の専用の設置室に配置され、医師用端末１１は図示省略の診察室など医師が医療行為を行う場所に配置され、主として医師が操作する。
【００２５】
サーバ１０は、サーバ本体１２、外部記憶装置１３、ローカルネットワークハブ１４を有しており、医師用端末１１に対して、薬品を選択するための情報が提供される。サーバ本体１２は、図示しない中央処理装置、メモリ、ハードディスク、ネットワークカードなどから構成され、後述する薬品情報や患者情報などの医療情報を格納する医療情報データベースを有しており、医師用端末１１から要求された薬品情報や患者情報に基づき医療情報データベースを検索し、その検索結果を医師用端末１１に返却する機能を有する。外部記憶装置１３は、ＭＯやＤＶＤ−ＲＷなどのように、サーバ本体１２と外部接続されてデータベースのバックアップなどのために用いられる。ローカルネットワークハブ１４は、病院内におけるローカルエリアネットワークを構築し、医師用端末１１と接続するために用いられる。
【００２６】
医師用端末１１は、端末本体１５、プリンタ１６、スキャナ１７を有しており、サーバ１０から提供された薬品情報を表示する。端末本体１５は、図示しない中央処理装置、メモリ、ハードディスク、ネットワークカードなどから構成されている。
【００２７】
前記医師用端末１１は、サーバ１０に対して薬品情報と患者情報の情報提供を依頼（要求）し、返却されたこれらの情報を基に、以下の情報を表示する。
（１）先発医薬品および後発医薬品、並びにそれらを区別する情報
（２）薬価および患者の負担割合による負担額
（３）同効能・同効果の薬品（先発医薬品及び後発医薬品として関連する薬品）の病院内における使用率
（４）先発医薬品であれば、候補となる後発医薬品の情報
（５）病状の回復が見込めずに別の薬品に変更している場合は、薬品の変更歴
【００２８】
プリンタ１６は、病院外処方箋などの病院外や病院内で必要な帳票を端末本体１５からの指示により出力し、スキャナ１７は、他病院からの紹介状など書類を読み取り、端末本体を経由してサーバ本体１２の医療情報データベースに保存するためのものである。
【００２９】
図２は、前記サーバ１０及び前記医師用端末１１が備える本発明の各種機能を実現するための主要な手段と、前記医療情報データベースｂ０１に格納される主要な情報を示している。
前記サーバ１０は、ハードウェア及び／又はソフトウエア（プログラム）から成る次の各手段を備えている。
即ち、前記サーバ１０は、患者に登録されている病名と、その病名に対する薬品とを組み合わせた病名薬品情報ｂ０３を前記医療情報データベースに登録する登録手段ａ０１と、後述する薬価と負担割合から患者の薬品に対する負担額を計算する負担額計算手段ａ０２と、患者薬品情報からその薬品が病院内で使用されている使用件数を取得する使用件数取得手段ａ０３と、前記薬品の先発医薬品又は後発医薬品として関連付けられた薬品が病院内で使用されている件数を合計して合計件数を取得する合計件数取得手段ａ０４と、前記使用件数と合計件数から前記薬品の使用率を計算する使用率計算手段ａ０５と、医師用端末１１からの要求に応じて、医療情報データベースｂ０１内の先発医薬品ｂ０４に関連付けられた後発医薬品ｂ０５を検索する後発医薬品検索手段ａ０６とを備えている。
【００３０】
又、前記医療情報データベースｂ０１は、前記医療情報ｂ０２として、少なくとも、先発医薬品ｂ０４と、先発医薬品ｂ０４に関連付けられた後発医薬品ｂ０５とを格納すると共に、先発医薬品ｂ０４と後発医薬品ｂ０５とを区別する区別情報ｂ０６を先発医薬品ｂ０４と後発医薬品ｂ０５とに夫々関連付けて格納し、更に、前記先発医薬品又は後発医薬品に関連付けられた薬価ｂ０７と、患者情報に関連付けられた患者の保険に係る負担割合ｂ０８と、患者情報と薬品情報とを組み合わせた患者薬品情報ｂ０９とを格納し、更に又、患者に関連付けられた薬品が他の薬品に変更されている場合に変更された薬品の履歴である薬品変更履歴ｂ１０を元の薬品に関連付けて格納している。
【００３１】
そして、前記医師用端末１１は、ハードウェア及び／又はソフトウエア（プログラム）から成る次の各手段を備えている。
即ち、前記医師用端末１１は、医師用端末１１からの要求に基づきサーバ１０から前記病名薬品情報ｂ０３を受信する病名薬品情報受信手段ｃ０１と、受信した病名薬品情報ｂ０３に基づき、患者の病名に対して登録されている薬品の一覧表である病名薬品一覧表を表示する病名薬品一覧表表示手段ｃ０２とを備えている。
【００３２】
又、サーバ１０から前記病名薬品情報ｂ０３を受信する時、病名薬品情報ｂ０３の薬品に関連付けられた前記区別情報ｂ０６を受信する区別情報受信手段ｃ０３と、病名薬品一覧表表示手段ｃ０２によって病名薬品一覧表を表示する時に、病名薬品一覧表の薬品に関連付けて区別情報ｂ０６を表示する区別情報表示手段ｃ０４とを備えている。
更に、サーバ１０から病名薬品情報ｂ０３を受信する時、前記負担額を受信する負担額受信手段ｃ０５と、病名薬品一覧表表示手段ｃ０２によって病名薬品一覧表を表示する時に、病名薬品一覧表の薬品に関連付けて前記負担額を表示する負担額表示手段ｃ０６とを備えている。
【００３３】
更に又、サーバ１０から病名薬品情報ｂ０３を受信する時、前記使用率を受信する使用率受信手段ｃ０７と、病名薬品一覧表表示手段ｃ０２によって病名薬品一覧表を表示する時に、病名薬品一覧表の薬品に関連付けて前記使用率を表示する使用率表示手段ｃ０８とを備えている。
そして、医師用端末１１からの要求に基づき、後発医薬品検索手段ａ０６によって検索された後発医薬品ｂ０５をサーバ１０から受信する後発医薬品受信手段ｃ０９と、病名薬品一覧表表示手段ｃ０２によって病名薬品一覧表を表示する時に、病名薬品一覧表の薬品に関連付けて受信した後発医薬品ｂ０５を表示する後発医薬品表示手段ｃ１０とを備えている。
又、医師用端末１１からの要求に基づき、サーバ１０から薬品変更履歴ｂ１０を受信する薬品変更履歴受信手段ｃ１１と、病名薬品一覧表表示手段ｃ０２によって病名薬品一覧表を表示する時に、病名薬品一覧表の薬品に関連付けて受信した薬品変更履歴ｂ１０を表示する薬品変更履歴表示手段ｃ１２とを備えている。
【００３４】
前記医療情報データベースｂ０１に格納される医療情報ｂ０２の各レコードを更に詳細に説明すると、図３の薬品マスタレコード２０は、薬品についての各種データである薬品ＩＤ、薬品名称、薬品区分、単位、仮定用法、後発医薬品識別（図２に於いて区別情報ｂ０６）、薬価（図２に於いてｂ０７）を有しているマスタレコードである。薬品マスタレコード２０は、薬品ＩＤを介して、病名薬品関連ファイルレコード２１の薬品ＩＤや、後発医薬品情報ファイルレコード２２の薬品ＩＤ、後発医薬品ＩＤ、薬品変更履歴ファイルレコード２３の薬品ＩＤ、変更した薬品ＩＤに関連付けられている。
病名薬品関連ファイルレコード２１は、１つの病名コードに対して複数の薬品コードを登録するためのデータベース（図２に於いて病名薬品情報ｂ０３）である。
後発医薬品情報ファイルレコード２２は、先発医薬品（図２に於いてｂ０４）であれば、その薬品に対する後発医薬品（図２に於いてｂ０５）を登録するためのデータベースである。
薬品変更履歴ファイルレコード２３は、ある薬品に対して別の薬品に変更した場合に、その薬品ＩＤと変更した薬品ＩＤの組み合わせで薬品変更履歴（図２に於いてｂ１０）を登録するためのデータベースである。
【００３５】
図４の患者情報ファイルレコード２４は、患者についての各種データである患者ＩＤ、患者氏名、患者カナ氏名、性別、生年月日、連絡先情報を有しているファイルレコードである。
患者情報ファイルレコード２４は、患者ＩＤを介して、患者病名情報ファイルレコード２５の患者ＩＤや患者保険情報ファイルレコード２６の患者ＩＤ、患者薬品情報ファイルレコード２７の患者ＩＤに関連付けられている。
患者病名情報ファイルレコード２５は、患者に対する複数の病名ＩＤを登録するためのデータベースである。
患者保険情報ファイルレコード２６は、患者に対する複数の保険を保険番号と負担割合（図２に於いてｂ０８）の組み合わせで登録するためのデータベースである。患者薬品情報ファイルレコード２７は、患者に処方する薬品を登録するためのデータベース（図２に於いて患者薬品情報ｂ０９）であり、薬品ＩＤを介して、薬品マスタレコード２０と関連付けられている。
【００３６】
図５の病名マスタレコード２８は、病院内で使用される病名名称、病名カナ名称を有しているマスタレコードである。病名マスタレコード２８は、病名ＩＤを介して、患者病名情報ファイルレコード２５の病名ＩＤや病名薬品関連ファイルレコード２１の病名ＩＤに関連付けられている。
【００３７】
次に、図６〜１１を用いて、本システムの実施形態における画面の操作方法を説明する。図６は、患者に処方する薬品の一覧が表示される画面の一例である。この処方薬品一覧画面を展開前に、患者情報ファイルレコード２４で登録されている患者を選択した状態であり、その患者に対して登録されている患者保険情報ファイルレコード２６の保険が選択されているものとする。
この画面は、医師用端末１１に表示されるもので、医師はこの画面を用いて、画面内で選択した患者に登録されている病名に対して、薬品、用法、服用開始日、日数、用量を決定し、患者に処方する。
尚、選択可能な患者の病名は、患者病名保険情報ファイルレコード２５に登録されている病名ＩＤに対する病名マスタレコード２８の病名名称が表示されている。この画面内の「病名薬品」ボタンを押下することにより、選択されている病名に関する図７の病名薬品一覧が表示される。
【００３８】
図７は、患者の病名に対する病名薬品一覧表が表示される画面の一例である。この病名薬品一覧画面は、サーバ本体１２内の医療情報データベースのひとつである病名薬品関連ファイルレコード２１に於いて、選択されている病名に対する薬品の一覧（病名薬品一覧表）が表示される。表示される薬品に対して、サーバ本体１２内の複数のデータベースを用いて、以下の情報が付加して表示される。
（１）薬品マスタレコード２０に登録されている薬価
（２）前記薬価に対して、選択されている保険の患者保険情報ファイルレコード２６に登録されている負担割合をかけて計算した患者の負担額
（３）患者薬品情報ファイルレコード２７内の該当する薬品と、後発医薬品情報ファイルレコード２２に登録されている関連する薬品すべてを検索し、それぞれの使用回数を足して計算した使用率
（４）薬品マスタレコード２０内の後発医薬品識別を用いた先発医薬品か後発医薬品かの識別情報
（５）先発医薬品で後発医薬品情報ファイルレコード２２に登録されていれば、登録されている後発医薬品の薬品名称
（６）薬品変更履歴ファイルレコード２３に登録されていれば、登録されている変更先の薬品名称
すべての情報が表示しきれないため、スクロールバーを左右に動かすことによって、図８のように、図７で表示しきれない情報を表示できるようにする。なお、本図面には図示していないが、上下方向のスクロールにより、画面全体の状態遷移も可能である。更に、後発医薬品や薬品変更履歴が表示されている場合は、その薬品を選択して、「後発医薬品」ボタンや「薬品変更履歴」ボタンを押下することにより、図９の後発医薬品一覧や図１０の薬品変更履歴一覧が表示される。
【００３９】
図９は、病名薬品一覧で選択した薬品の後発医薬品一覧が表示される画面の一例である。この後発医薬品一覧画面は、サーバ本体１２内のデータベースのひとつである後発医薬品情報ファイルレコード２２に於いて、選択されている薬品に対する後発医薬品の一覧が表示される。
図１０は、病名薬品一覧で選択した薬品の薬品変更履歴一覧が表示される画面の一例である。この薬品変更履歴一覧画面は、サーバ本体１２内のデータベースのひとつである薬品変更履歴情報ファイルレコード２３に於いて、選択されている薬品に対する薬品変更履歴の一覧が表示される。
【００４０】
図１１は、患者に処方する薬品を追加後に表示される画面の一例である。図７の患者病名一覧内の薬品や図９の後発医薬品一覧画面、図１０の薬品変更履歴一覧画面に於いて、選択後にそれぞれの画面内の「追加」ボタンを押下して、処方薬品一覧画面に追加される。なお、本図面には図示していないが、上下左右方向のスクロールにより、画面全体の状態遷移も可能である。「登録」ボタンを押下することにより、患者薬品情報ファイルレコード２７に患者ＩＤに対する薬品ＩＤのレコードに追加される。更に、病名薬品関連ファイルレコード２１に登録されていない病名ＩＤと薬品ＩＤの組み合わせがあれば、その組み合わせのレコードが病名薬品関連ファイルレコード２１に追加される。又、図７に示す病名薬品一覧から追加した図６に示す処方薬品一覧内の薬品を選択して「薬品変更」ボタンを押下することにより、薬品が変更された場合は、その変更歴が薬品変更履歴ファイルレコード２３に登録される。
【００４１】
次に、図１２〜２１を用いて、本システムの実施形態における薬品選択支援システムのプログラム処理内容を説明する。
図１２は、図６の処方薬品一覧画面から図７の病名薬品一覧画面を展開し、各種情報を表示する手順の概要を示すフローチャートである。図１２に於いては、まず、医師用端末１１に於いて表示されている図６の処方薬品一覧画面上の「病名薬品」ボタンを押下する（ステップ１１０１）。処方薬品一覧画面上で選択された病名に対して、病名ＩＤが病名薬品関連ファイルレコード２１に存在した場合（ステップ１１０２）は、病名薬品関連ファイルレコード２１から該当する病名ＩＤに対するすべての薬品ＩＤの一覧を取得する（ステップ１１０３）。取得した薬品ＩＤが、薬品マスタレコード２０に存在した場合（ステップ１１０４）は、薬品マスタレコード２０の薬価と患者保険情報ファイル２６の負担割合から負担額計算手段ａ０２によって患者の負担額を計算する（ステップ１１０５）。次に、使用率計算手段ａ０５によって患者薬品ファイルレコード２７から該当する薬品の病院内における使用率を計算する（ステップ１１０６）。
【００４２】
次に、後発医薬品検索手段ａ０６によって後発医薬品情報ファイルレコード２２から該当する薬品ＩＤのすべての後発医薬品の薬品ＩＤを読み込む（ステップ１１０７）。次に、薬品変更履歴ファイルレコード２３から該当する薬品ＩＤの変更したすべての薬品の薬品ＩＤを読み込む（ステップ１１０８）。医師用端末１１の病名薬品情報受信手段ｃ０１、区別情報受信手段ｃ０３、負担額受信手段ｃ０５、使用率受信手段ｃ０７、後発医薬品受信手段ｃ０９及び薬品変更履歴受信手段ｃ１１によって、前述の読み込まれたすべての情報及び計算後の情報をサーバ１０から受信し、医師用端末１１に於いて病名薬品一覧画面を展開する（ステップ１１０９）。画面が展開された段階で、病名薬品一覧表表示手段ｃ０２、区別情報表示手段ｃ０４、負担額表示手段ｃ０６、使用率表示手段ｃ０８、後発医薬品表示手段ｃ１０及び薬品変更履歴表示手段ｃ１２によって、取得した各情報を図７及び図８に示す画面に表示し（ステップ１１１０）、処理が完了する。尚、ステップ１１０２、１１０４のレコード存在判定処理で未存在となった場合はエラー処理とする（ステップ１１１１）。
【００４３】
図１３は、薬品情報マスタレコード２０から必要な情報を読み込む手順の概要を示すフローチャートである。図１２のステップ１１０４である図１３に於いては、該当する薬品ＩＤが薬品マスタレコード２０に存在した場合（ステップ１２０１）、薬品マスタレコード２０から薬品名称、後発医薬品識別、薬価を読み込む（ステップ１２０２）。尚、ステップ１２０１のレコード存在判定処理で未存在となった場合はエラー処理とする（ステップ１２０３）。
【００４４】
図１４は、患者負担額の計算手順の概要を示すフローチャートである。図１２のステップ１１０５である図１４に於いては、患者保険情報ファイルレコード２６から負担割合を読み込む（ステップ１３０１）。次に、負担額計算手段ａ０２によって、図１３のステップ１２０２で取得した薬価を掛けて患者の負担割合を計算する（ステップ１３０２）。
【００４５】
図１５は、病院内における薬品の使用率を計算する手順の概要を示すフローチャートである。図１２のステップ１１０６である図１５に於いては、後発医薬品ファイルレコード２２から該当する薬品ＩＤに関係する先発医薬品又は後発医薬品すべての薬品ＩＤを読み込む（ステップ１４０１）。次に、該当する薬品が薬品マスタレコード２０に存在する場合（ステップ１４０２）、使用件数取得手段ａ０３によって、患者薬品情報ファイルレコード２７から病院内で使用されている件数を取得し（ステップ１４０３）、合計件数取得手段ａ０４によって、先発医薬品及び後発医薬品として前記該当する薬品と関連する薬品の件数を合計する（ステップ１４０４）。尚、ステップ１４０２のレコード存在判定処理で未存在となった場合はステップ１４０３とステップ１４０４の処理を飛ばす。この取得した薬品ＩＤの件数分（ステップ１４０５）まで、ステップ１４０２とステップ１４０３、ステップ１４０４の処理を行う。
【００４６】
次に、使用率計算手段ａ０５によって、ステップ１４０３で取得した薬品の件数とステップ１４０４で計算した薬品の合計件数を用いて使用率を計算する（ステップ１４０６）。この取得した薬品ＩＤの件数分（ステップ１４０７）まで、ステップ１４０６の処理を行う。
【００４７】
図１６は、後発医薬品情報ファイルレコード２２から後発医薬品一覧を読み込む手順の概要を示すフローチャートである。図１２のステップ１１０７である図１６に於いては、該当する薬品ＩＤが後発医薬品情報ファイルレコード２２に存在する場合（ステップ１５０１）、後発医薬品検索手段ａ０６によって、後発医薬品情報ファイルレコード２２から後発医薬品ＩＤ一覧を取得する（ステップ１５０２）。取得した薬品ＩＤを基に、薬品マスタレコード２０から薬品名称を取得し（ステップ１５０３）、取得した後発医薬品の件数分（ステップ１５０４）まで、ステップ１５０３の処理を行う。尚、ステップ１５０１のレコード存在判定処理で未存在となった場合は処理不要を返却する（ステップ１５０５）。
【００４８】
図１７は、薬品変更履歴ファイルレコード２３から薬品変更履歴一覧を読み込む手順の概要を示すフローチャートである。図１２のステップ１１０８である図１７に於いては、該当する薬品ＩＤが薬品変更履歴ファイルレコード２３に存在する場合（ステップ１６０１）、薬品変更履歴ファイルレコード２３から変更薬品ＩＤ一覧を取得する（ステップ１６０２）。取得した薬品ＩＤを基に、薬品マスタレコード２０から薬品名称を取得し（ステップ１６０３）、取得した変更薬品の件数分（ステップ１６０４）まで、ステップ１６０３の処理を行う。尚、ステップ１６０１のレコード存在判定処理で未存在となった場合は処理不要を返却する（ステップ１６０５）。
【００４９】
図１８は、図７の病名薬品一覧画面から図９の後発医薬品一覧画面を展開し、各種情報を表示する手順の概要を示すフローチャートである。図１８に於いては、まず、図７の病名薬品一覧画面上の薬品リスト（薬品行）を選択し（ステップ１７０１）、「後発医薬品」ボタンを押下する（ステップ１７０２）。選択されている薬品ＩＤに対して、医師用端末１１で保持している後発医薬品の薬品ＩＤを基に、薬品マスタレコード２０から薬品名称と薬価を読み込む（ステップ１７０３）。次に、ステップ１７０３で取得した薬品マスタレコード２０の薬価と患者保険情報ファイルレコード２６の負担割合から、負担額計算手段ａ０２によって、患者の負担額を計算する（ステップ１７０４）。次に、患者薬品情報ファイルレコード２７から、使用率計算手段ａ０５によって、該当する薬品の病院内における使用率を計算する（ステップ１７０５）。サーバ１０がすべての情報を取得後、医師用端末１１は、それらの情報を後発医薬品受信手段ｃ０９、負担額受信手段ｃ０５及び使用率受信手段ｃ０７によってサーバ１０から受信し、後発医薬品一覧画面を展開する（ステップ１７０６）。画面が展開された段階で、後発医薬品表示手段ｃ１０、負担額表示手段ｃ０６及び使用率表示手段ｃ０８によって、取得した各情報を画面に表示する（ステップ１７０７）。
【００５０】
図１９は、図７の病名薬品一覧画面から図１０の薬品変更履歴一覧画面を展開し、各種情報を表示する手順の概要を示すフローチャートである。図１９に於いては、まず、図７の病名薬品一覧画面上の薬品リスト（薬品行）を選択し（ステップ１８０１）、「薬品変更履歴」ボタンを押下する（ステップ１８０２）。選択されている薬品ＩＤに対して、医師用端末１１で保持している薬品変更履歴の薬品ＩＤを基に、薬品マスタレコード２０から薬品名称と薬価を読み込む（ステップ１８０３）。次に、ステップ１８０３で取得した薬品マスタレコード２０の薬価と患者保険情報ファイルレコード２６の負担割合から、負担額計算手段ａ０２によって、患者の負担額を計算する（ステップ１８０４）。次に、患者薬品情報ファイルレコード２７から、使用率計算手段ａ０５によって、該当する薬品の病院内における使用率を計算する（ステップ１８０５）。サーバ１０がすべての情報を取得後、医師用端末１１は、それらの情報をサーバ１０から薬品変更履歴受信手段ｃ１１、負担額受信手段ｃ０５及び使用率受信手段ｃ０７によって受信して薬品変更履歴一覧画面を展開する（ステップ１８０６）。画面が展開された段階で、薬品変更履歴表示手段ｃ１２、負担額表示手段ｃ０６及び使用率表示手段ｃ０８によって、取得した各情報を画面に表示する（ステップ１８０７）。
【００５１】
図２０は、図７の病名薬品一覧画面や図９の後発医薬品一覧画面、図１０の薬品変更履歴一覧画面から薬品を追加して、処方薬品一覧画面に薬品を表示する手順の概要を示すフローチャートである。図２０に於いては、まず、図７，９及び１０の各画面上の薬品リスト（薬品行）を選択し（ステップ１９０１）、「追加」ボタンを押下する（ステップ１９０２）。ステップ１９０２で追加処理を行った薬品に対して、薬品マスタレコード２０の仮定用法を読み込み(ステップ１９０３)、薬品を図１１の処方薬品一覧画面に表示する（ステップ１９０４）。
【００５２】
図２１は、処方する薬品が追加されている図１１の処方薬品一覧画面に於いて、薬品を登録する手順の概要を示すフローチャートである。図２１に於いては、図１１の処方薬品一覧画面上に薬品が追加された状態で、「登録」ボタンを押下すると（ステップ２００１）、サーバ１０は、情報を受信し、登録手段ａ０１によって、患者薬品情報ファイルレコード２７に患者に処方する薬品ＩＤを登録する（ステップ２００２）。次に、患者病名情報ファイルレコード２５にその患者の病名が登録されている場合（ステップ２００３）、患者病名と薬品の組み合わせが病名関連薬品ファイルレコード２１に登録されていなければ（ステップ２００４）、患者病名と薬品の組み合わせを病名関連薬品ファイルレコード２１に登録する（ステップ２００５）。尚、患者病名と薬品の組み合わせが病名薬品関連ファイルレコード２１に登録されていれば、ステップ２００５の処理を飛ばす。患者に処方する薬品の件数分（ステップ２００６）まで、ステップ２００４とステップ２００５の処理を行う。尚、患者病名情報ファイルレコード２５にその患者の病名が登録されていない場合は、ステップ２００４とステップ２００５、ステップ２００６の処理を飛ばす。
【図面の簡単な説明】
【００５３】
【図１】本発明の一実施の形態例を示す薬品選択支援システムの概略構成を示すブロック図である。
【図２】本発明のサーバと医師用端末が備える機能を説明する概略図である。
【図３】本発明の医療情報データベースに格納される各ファイルの概略レコードレイアウト図である。
【図４】本発明の医療情報データベースに格納される患者情報に関する各ファイルの概略レコードレイアウト図である。
【図５】本発明の医療情報データベースに格納される病名情報に関するファイルの概略レコードレイアウト図である。
【図６】本発明の患者に薬品を処方するための処方薬品一覧の初期表示画面図である。
【図７】本発明の患者の病名に対する薬品一覧を表示する画面図である。
【図８】本発明の患者の病名に対する薬品一覧をスクロールした画面図である。
【図９】本発明の先発医薬品に対する後発医薬品一覧を表示する画面図である。
【図１０】本発明の薬品に対する薬品変更履歴一覧を表示する画面図である。
【図１１】本発明の薬品追加後の処方薬品一覧の画面図である。
【図１２】本発明の処方薬品一覧画面から病名薬品一覧画面を展開し、各種情報を表示する手順の概要を示すフローチャートである。
【図１３】本発明の薬品情報マスタレコードから必要な情報を読み込む手順の概要を示すフローチャートである。
【図１４】本発明の患者負担額の計算手順の概要を示すフローチャートである。
【図１５】本発明の病院内における薬品の使用率を計算する手順の概要を示すフローチャートである。
【図１６】本発明の後発医薬品情報ファイルレコードから後発医薬品一覧を読み込む手順の概要を示すフローチャートである。
【図１７】本発明の薬品変更履歴ファイルレコードから薬品変更履歴一覧を読み込む手順の概要を示すフローチャートである。
【図１８】本発明の病名薬品一覧画面から後発医薬品一覧画面を展開し、各種情報を表示する手順の概要を示すフローチャートである。
【図１９】本発明の病名薬品一覧画面から薬品変更履歴一覧画面を展開し、各種情報を表示する手順の概要を示すフローチャートである。
【図２０】本発明の病名薬品一覧画面や後発医薬品一覧画面、薬品変更履歴一覧画面から薬品を追加して、処方薬品一覧画面に表示する手順の概要を示すフローチャートである。
【図２１】本発明の処方する薬品が追加されている処方薬品一覧画面に於いて、薬品を登録する手順の概要を示すフローチャートである。
【符号の説明】
【００５４】
１０  サーバ
１１  医師用端末
ａ０１  登録手段
ａ０２  負担額計算手段
ａ０３  使用件数取得手段
ａ０４  合計件数取得手段
ａ０５  使用率計算手段
ａ０６  後発医薬品検索手段
ｂ０１  医療情報データベース
ｂ０２  医療情報
ｂ０３  病名薬品情報
ｂ０４  先発医薬品
ｂ０５  後発医薬品
ｂ０６  区別情報
ｂ０７  薬価
ｂ０８  負担割合
ｂ０９  患者薬品情報
ｂ１０  薬品変更履歴
ｃ０１  病名薬品情報受信手段
ｃ０２  薬品一覧表表示手段
ｃ０３  区別情報受信手段
ｃ０４  区別情報表示手段
ｃ０５  負担額受信手段
ｃ０６  負担額表示手段
ｃ０７  使用率受信手段
ｃ０８  使用率表示手段
ｃ０９  後発医薬品受信手段
ｃ１０  後発医薬品表示手段
ｃ１１  薬品変更履歴受信手段
ｃ１２  薬品変更履歴表示手段
【図１】
2007272751.tif 000003
【図２】
2007272751.tif 000004
【図３】
2007272751.tif 000005
【図４】
2007272751.tif 000006
【図５】
2007272751.tif 000007
【図６】
2007272751.tif 000008
【図７】
2007272751.tif 000009
【図８】
2007272751.tif 000010
【図９】
2007272751.tif 000011
【図１０】
2007272751.tif 000012
【図１１】
2007272751.tif 000013
【図１２】
2007272751.tif 000014
【図１３】
2007272751.tif 000015
【図１４】
2007272751.tif 000016
【図１５】
2007272751.tif 000017
【図１６】
2007272751.tif 000018
【図１７】
2007272751.tif 000019
【図１８】
2007272751.tif 000020
【図１９】
2007272751.tif 000021
【図２０】
2007272751.tif 000022
【図２１】
2007272751.tif 000023